(57)【要約】【課題】配線作業時にも検知手段を傷つける恐れがなく、取り付け作業及び取り外し作業の容易な検知器を提供する。【解決手段】本発明の検知器１は、取付面に固定されるベース本体２と、回動操作により前記ベース本体２と着脱自在に連結されるカバー本体３とを備えており、該カバー本体３は検知手段及び電池１２を収納している一方、前記ベース本体２には電線６を収納する配線スペース７を設けていることを特徴とする。そして、前記ベース本体２及びカバー本体３は、接触して導通する接続端子１１及び接続接点１６を具備していることが好ましい。【選択図】  図１
2004206282.tif 000002
【特許請求の範囲】
【請求項１】
取付面に固定されるベース本体と、回動操作により前記ベース本体と着脱自在に連結されるカバー本体とを備えており、該カバー本体は検知手段及び電池を収納している一方、前記ベース本体には電線を収納する配線スペースを設けていることを特徴とする検知器。
【請求項２】
前記ベース本体及びカバー本体は、接触して導通する接続端子及び接続接点を具備していることを特徴とする請求項１に記載の検知器。
【請求項３】
前記配線スペースは、前記電線の接続側端部の位置よりもその引出側端部の方が低い位置となる形状を有していることを特徴とする請求項１または請求項２に記載の検知器。
【請求項４】
前記ベース本体は、対称位置に形成された一対の電線引込用の開口部を有していることを特徴とする請求項１〜請求項３のいずれかに記載の検知器。
【発明の詳細な説明】
【０００１】
【発明の属する技術分野】
本発明は火災報知器等のような検知器に係り、詳しくは、この検知器における電線の配置構造に関する。
【０００２】
【従来の技術】
従来から、火災の発生や人の存在等を検知するための検知器には電池を電源としたものがあり、その一例としては図４の分解斜視図で示すような検知器５１がある（例えば、特許文献１参照）。この検知器５１は例えば火災報知機であり、建物の天井面や壁面等の取付面（図示省略）に固定されるベース板５２と、このベース板５２と着脱自在に連結される検知器本体５３とを備えている。
【０００３】
なお、図４中の符号５４は取付ネジであり、これらの取付ネジ５４によりベース板５２は取付面に位置決めして固定される。
【０００４】
検知器本体５３は一端同士が連結されたベース本体５５及びカバー５６を備えており、検知手段を構成する電子回路部品５７や電池５８を収納したベース本体５５の開口部は、開閉自在とされたカバー５６により閉塞されている。そして、ベース本体５５内には、警報ブザー等のような外部機器との連絡用である信号線等の電線５９が電線引込用の開口部６０を通って引き込まれており、電線５９の接続側端部は固定用のネジ端子６１と導通している。
【０００５】
また、この検知器本体５３は、図４中の矢印で示すような回動操作により取付面上のベース板５２とベース本体５５とが係合するのに伴ってベース板５２と着脱自在に連結されることになり、ベース板５２を介して取付面上で位置決め固定される。なお、ベース本体５５に収納された電池５８は各種の電子回路部品５７に電源を供給するものであり、交換可能となっている。
【０００６】
検知器の他の一例としては、図示省略しているが、取付面に固定されるベース本体と、回動操作によりベース本体と着脱自在に連結されるカバー本体を備えたものがある。この検知器では、検知手段である電子回路部品をカバー本体に収納し、かつ、ベース本体と対面するカバー本体の背面側に形成されて電池を収納した電池収納凹部の開口部をベース本体でもって閉塞することが行われる。
【０００７】
【特許文献１】
特開平６−１１１１５３号公報
【０００８】
【発明が解決しようとする課題】
ところで、前記従来の検知器５１では、検知器本体５３のベース本体５５内に電線５９の配線スペースが設けられているため、回動操作してベース板５２と連結された検知器本体５３のカバー５６を開放したうえで配線作業を実行する必要がある。ところが、配線作業時にカバー５６を開放すると、電子回路部品５７や電池５８が剥き出しになるため、工具等の使用に伴って電子回路部品５７を傷つける恐れがあった。
【０００９】
また、検知器本体５３のベース本体５５内に電線５９を予め配線しておいた場合には、図５の説明図で示すように、検知器本体５３の回動操作に伴って電線５９が移動し得る状態を確保しておかねばならない。しかし、取付面に沿って敷設された電線５９を移動可能とはできないため、検知器本体５３の回動操作が電線５９により阻害される。その結果、ベース板５２に検知器本体５３を取り付けたり、取り外したりする作業を実行する度毎に、ベース本体５５から電線５９を取り外す必要があり、煩わしい手間を要してしまう。
【００１０】
本発明はこれらの不都合に鑑みて創案されたものであり、配線作業時にも検知手段を傷つける恐れがなく、取り付け作業及び取り外し作業の容易な検知器の提供を目的としている。
【００１１】
【課題を解決するための手段】
請求項１記載の発明に係る検知器は、取付面に固定されるベース本体と、回動操作により前記ベース本体と着脱自在に連結されるカバー本体とを備えており、該カバー本体は検知手段及び電池を収納している一方、前記ベース本体には電線を収納する配線スペースを設けていることを特徴とする。
【００１２】
請求項２記載の発明に係る検知器は請求項１に記載したものであり、前記ベース本体及びカバー本体は、接触して導通する接続端子及び接続接点を具備していることを特徴とする。
【００１３】
請求項３記載の発明に係る検知器は請求項１または請求項２に記載したものであり、前記配線スペースは、前記電線の接続側端部の位置よりもその引出側端部の方が低い位置となる形状を有していることを特徴とする。
【００１４】
請求項４記載の発明に係る検知器は請求項１〜請求項３のいずれかに記載したものであり、前記ベース本体は、対称位置に形成された一対の電線引込用の開口部を有していることを特徴とする。
【００１５】
【発明の実施の形態】
図１は本実施の形態に係る検知器の全体構造を示す分解斜視図、図２は検知器が備えているベース本体の表面側構造を示す説明図であり、図３は検知器が備えているカバー本体の背面側構造を示す説明図である。なお、図１〜図３中の符号１は検知器、２はベース本体、３はカバー本体をそれぞれ示している。
【００１６】
本実施の形態に係る検知器１は例えば火災報知機であり、建物の天井面や壁面等のような取付面（図示省略）に取り付けて固定されるベース本体２と、回動操作によりベース本体２と着脱自在に連結されるカバー本体３とを備えている。ベース本体２は厚みの薄い絶縁性の合成樹脂等からなる略円形状の有底筒形容器であり、その底面部に形成された貫通孔４を挿通する取付ネジ５によって底面部の背面が取付面に当接した状態で固定される。
【００１７】
このベース本体２の底面部の表面には、警報ブザー等のような外部機器との連絡用である信号線等の電線６を収納する配線スペース７が設けられており、ベース本体２の周縁壁８付近に形成された電線引込用の開口部９から引き込まれた電線６の接続側端部は固定用のネジ端子１０に連結されて導通している。なお、ここでは、検知器１が建物の壁面に固定される場合もあることを考慮し、一対の開口部９を周方向で略等間隔となる位置、具体的には、対称となる位置にそれぞれ形成している。
【００１８】
そして、この配線スペース７は、電線６の接続側端部の位置よりもその引出側端部の方が低い位置となる形状、つまり、底面部の表面に対する配線スペース７の高さレベルがネジ端子１０付近よりも周縁壁８付近に近づくほど高くなる傾斜形状を有している。また、ベース本体２の周縁壁８に沿う位置には、いわゆる鰐口構造を有する信号伝達用の接続端子１１が設けられ、これらの接続端子１１はネジ端子１０と各別に導通している。
【００１９】
さらに、ベース本体２の周縁壁８の外端部には、複数の係止片１２が周方向に沿って略等間隔となる位置、具体的には、一対の係止片１２が互いに対称となる位置を選択して形成されている。そして、これらの係止片１２それぞれは、底面部の内方へと向かって突出した形状を有し、互い同士が相反する向きとなっている。なお、図２中の符号１３は、電線押さえ用の係止片である。
【００２０】
一方、検知器１が備えるカバー本体３は、厚みの薄い絶縁性の合成樹脂等からなる略円形状の中空容器であり、ベース本体２よりも若干大径とされている。そして、このカバー本体３の内部には検知手段となる電子回路部品（図示省略）が収納されており、ベース本体２と対面するカバー本体３の背面には、交換可能な電源供給用の電池１４を収納する電池収納凹部１５が形成されている。
【００２１】
また、このカバー本体３の背面には、ベース本体２の接続端子１１で各別に挟持されるのに伴って導通する接続接点１６が設けられており、これらの接続接点１６は電子回路部品と導通している。さらに、カバー本体３の背面には、複数の係止孔１７が周方向に沿って略等間隔となる位置、具体的には、対称位置を選択して形成されており、これらの係止孔１７の各々にはベース本体２の係止片１２が係合するようになっている。
【００２２】
なお、図１中の符号１８は引き紐、１９は警報音停止ボタンであり、この警報音停止ボタン１９は、動作確認時や警報停止時に使用される。
【００２３】
すなわち、このカバー本体３は、図１中の矢印で示すような回動操作により係止孔１７に係止片１２が係合するようにしてベース本体２と連結され、ベース本体２を介して取付面上に位置決めして固定される。このとき、カバー本体３をベース本体２に連結すると、接続接点１６は接続端子１１により挟持されて導通する。そして、カバー本体３の背面に形成されて電池１４を収納した電池収納凹部１５がベース本体２によって閉塞される結果、これらの電池１４が電池収納凹部１５から抜け落ちることは起こらない。
【００２４】
ところで、本実施の形態に係る検知器１が火災報知機に限られることはなく、人の存在等を検知するものであってもよい。また、ここでの検知器１が、投光素子、投光レンズ、受光素子、ラビリンス等を内蔵した光学台からなる煙検知式や半導体を用いた熱検知式であってもよく、あるいはまた、ガスの臭いを検知する構成とされたもの等であってもよいことは勿論である。
【００２５】
【発明の効果】
請求項１記載の発明に係る検知器では、取付面に固定され、かつ、検知手段や電池を収納したカバー本体が連結されるベース本体に対し、電線を収納する配線スペースを設けている。従って、電線の配線作業時や電池の交換時等にカバー本体を取り外したとしても検知手段が剥き出しになることは起こらず、工具等により検知手段を傷つけてしまう恐れはない。
【００２６】
また、ベース本体は取付面に固定したままでよいため、作業の度毎に、ベース本体から電線を取り外す必要もなく、カバー本体の取り付け作業及び取り外し作業に要する手間を大幅に削減できるという効果が得られる。
【００２７】
請求項２記載の発明に係る検知器であれば、ベース本体及びカバー本体が接続端子及び接続接点を具備しているため、ベース本体にカバー本体を連結するだけで容易に電気的接続を行い得るという利点が確保される。
【００２８】
請求項３記載の発明に係る検知器によれば、ベース本体内の配線スペースが電線の接続側端部の位置よりもその引出側端部の方が低い位置となる形状を有しているので、結露等により発生した水は電線引込用の開口部から排出される。そのため、電線の接続側端部へと水が侵入することを有効に防止できるという効果が得られる。
【００２９】
請求項４記載の発明に係る検知器では、ベース本体が対称位置に形成された一対の電線引込用の開口部を有しているため、取付面に対するベース本体の固定方向が特定されなくて済むことになり、その固定方向の自由度が増すという利点が確保される。
【図面の簡単な説明】
【図１】実施の形態に係る検知器の全体構造を示す分解斜視図である。
【図２】実施の形態に係る検知器が備えているベース本体の表面側構造を示す説明図である。
【図３】実施の形態に係る検知器が備えているカバー本体の背面側構造を示す説明図である。
【図４】従来の形態に係る検知器の全体構造を示す分解斜視図である。
【図５】従来の形態に係る検知器本体の取り付け作業及び取り外し作業を示す説明図である。
【符号の説明】
１    検知器
２    ベース本体
３    カバー本体
６    電線
７    配線スペース
９    電線引込用の開口部
１１    接続端子
１４    電池
１６    接続接点
【図１】
2004206282.tif 000003
【図２】
2004206282.tif 000004
【図３】
2004206282.tif 000005
【図４】
2004206282.tif 000006
【図５】
2004206282.tif 000007